(57)【要約】【課題】着用中に、着用者の肌と生理用ナプキンとの間に空間を生じず、着用者の肌を伝わって漏れる伝い漏れを防止することができる吸収性物品を提供すること。【解決手段】本発明の生理用ナプキン１は、肌当接面側に液透過性の表面シート２、非肌当接面側に液難透過性の裏面シート３及びこれら両シート間に配された吸収体４を具備する縦長の吸収性物品である。本発明の生理用ナプキン１は、表面シート２の肌当接面に、肌当接面側に盛り上がり且つ生理用ナプキン１の幅方向に延びる液流れ防止壁６、及び表面シート２と吸収体４とを固着し長手方向の両側部に沿って延びる一対の防漏溝７とを備えている。本発明の生理用ナプキン１は、液流れ防止壁６が、長手方向後方領域１ａに位置し且つ一対の前記防漏溝７間に亘って設けられている。【選択図】図１
2010063944.tif 000002
【特許請求の範囲】
【請求項１】
肌当接面側に液透過性の表面シート、非肌当接面側に裏面シート及びこれら両シート間に配された吸収体を具備する縦長の吸収性物品において、
前記表面シートの肌当接面に、肌当接面側に盛り上がり且つ前記吸収性物品の幅方向に延びる液流れ防止壁、及び該表面シートと前記吸収体とを固着し長手方向の両側部に沿って延びる一対の防漏溝を設け、
前記液流れ防止壁は、長手方向後方領域に位置し且つ一対の前記防漏溝間に亘って設けられている吸収性物品。
【請求項２】
前記表面シートは、少なくとも２枚のシートで形成されており、
前記液流れ防止壁は、肌当接面側の上層シートで形成され、該上層シートには、幅方向における前記防漏溝において非肌当接面側に窪んだ凹部が形成され、該凹部は、前記防漏溝内側まで延在して形成された入り込み部を有して、該入り込み部の溝幅が、該凹部の底部の溝幅よりも幅狭となっており、かつ該凹部の深さ方向における底部表面は、前記吸収体の平坦部表面よりも、深さ方向において、非肌当接面側に窪んでいる請求項１に記載の吸収性物品。
【請求項３】
前記液流れ防止壁は、更に、一対の前記防漏溝それぞれの幅方向外側にも延在して設けられており、前記入り込み部は、一対の前記防漏溝それぞれの内側に対向して設けられた請求項２に記載の吸収性物品。
【請求項４】
前記液流れ防止壁は、前記吸収性物品の長手方向の前方領域に向かって広がるＶ字状に形成されている請求項１〜３の何れかに記載の吸収性物品。
【請求項５】
幅方向に延びる前記液流れ防止壁は、間欠的に複数本形成されている請求項１〜４の何れかに記載の吸収性物品。
【発明の詳細な説明】
【技術分野】
【０００１】
本発明は、生理用ナプキン、失禁パッド、使い捨ておむつ等の吸収性物品に関する。
【背景技術】
【０００２】
従来、生理用ナプキンの漏れ防止機能を向上させるために、開孔を有する表面シートを使用し、この表面シートと吸収体とを固定するエンボスを略長円状に連結した環状エンボスを設けた生理用ナプキンの技術が特許文献１に開示されている。
しかしながら、引用文献１に記載の生理用ナプキンでは、着用中に、着用者の肌と生理用ナプキンとの間に空間ができた場合、着用者の肌を伝わって漏れる伝い漏れを防止することが困難であった。このような伝い漏れは、例えば、就寝中の寝返りにより着用者の肌と生理用ナプキンとの間に空間ができ、着用者の肌を伝わって生理用ナプキンの背側から漏れるという場合がある。
【０００３】
また、着用者の肌に密接して生理用ナプキンが使用されるように、表面に凹凸形状を有する表面シートを使用し、この表面シートと吸収体とを固定するエンボスを略長円状に連結した環状エンボスを設けた生理用ナプキンの技術が特許文献２に開示されている。
しかしながら、熱エンボスロールにより表面シートを凹凸形状に賦形するには限界があり、伝い漏れを十分に防止することが困難であった。
尚、引用文献２に記載の生理用ナプキンに凹凸形状の表面シートを使用する目的は、表面シートと着用者の肌と張り付き難く、不快感を解消するためであり、伝い漏れについては、何ら記載されていない。
【先行技術文献】
【特許文献】
【０００４】
【特許文献１】特開２００２−２８２３０４号公報
【特許文献２】特開２００４−４６５号公報
【発明の概要】
【発明が解決しようとする課題】
【０００５】
したがって、本発明の目的は、着用中に、着用者の肌と生理用ナプキンとの間に空間を生じず、着用者の肌を伝わって漏れる伝い漏れを防止することができる吸収性物品を提供することにある。
【課題を解決するための手段】
【０００６】
本発明は、肌当接面側に液透過性の表面シート、非肌当接面側に液難透過性の裏面シート及びこれら両シート間に配された吸収体を具備する縦長の吸収性物品において、前記表面シートの肌当接面に、肌当接面側に盛り上がり且つ前記吸収性物品の幅方向に延びる液流れ防止壁、及び該表面シートと前記吸収体とを固着し長手方向の両側部に沿って延びる一対の防漏溝を設け、前記液流れ防止壁は、長手方向後方領域に位置し且つ一対の前記防漏溝間に亘って設けられている吸収性物品を提供することにより前記目的を達成したものである。
【発明の効果】
【０００７】
本発明の吸収性物品によれば、着用中に、着用者の肌と生理用ナプキンとの間に空間を生じず、着用者の肌を伝わって漏れる伝い漏れを防止することができる。
【図面の簡単な説明】
【０００８】
【図１】本発明の吸収性物品（生理用ナプキン）の一実施形態の平面図である。
【図２】図１の液漏れ防止壁と防漏溝との関係を示す部分拡大平面図である。
【図３】図１の吸収性物品（生理用ナプキン）のＸ１−Ｘ１断面図である。
【図４】図１の吸収性物品（生理用ナプキン）のＸ２−Ｘ２断面図である。
【図５】図１の吸収性物品（生理用ナプキン）のＹ−Ｙ断面図である。
【図６】図１の液漏れ防止壁の断面図である。
【図７】本発明の吸収性物品（生理用ナプキン）の他の一実施形態の平面図である。
【図８】図７の液漏れ防止壁と防漏溝との関係を示す部分拡大平面図である。
【図９】本発明の吸収性物品（生理用ナプキン）の他の一実施形態のＹ−Ｙ断面図である。
【図１０】本発明の吸収性物品（生理用ナプキン）の他の一実施形態の液漏れ防止壁の断面図である。
【発明を実施するための形態】
【０００９】
以下、本発明の吸収性物品のである生理用ナプキンの好ましい一実施形態について、図１〜６に基づいて説明する。尚、各図中、同一符号は同一又は同等の構成要素を示している。
【００１０】
本実施形態の吸収性物品（生理用ナプキン）１は、図１〜５に示すように、肌当接面側に配置された液透過性の表面シート２、非肌当接面側に配置された液難透過性の裏面シート３及びこれら両シート２，３間に介在された液保持性の吸水体４とを具備する縦長の生理用ナプキン１である。表面シート２は、着用時に着用者の肌に向けられる肌当接面を形成しており、吸収体４よりも大きい外径寸法を有し、その長手方向の左右両側縁部は、吸収体４の左右の両側部を覆って吸収体４の裏面側に位置し、吸収体４の裏面側において、接着剤を介して裏面シート３に接合されている。表面シート２及び裏面シート３は、生理用ナプキン１の長手方向の両端部において、吸収体４の長手方向の両端部から延出し、その延出部は互いにヒートシール等により接合されて接合部５を形成している。これらの構成は、従来品と同じである。
【００１１】
本実施形態の生理用ナプキン１の表面シート２の肌当接面には、図１に示すように、肌当接面側に盛り上がり且つ生理用ナプキン１の幅方向に延びる液流れ防止壁６及び表面シート２と吸収体４とを固着し（図３，４参照）、長手方向の両側部に沿って延びる一対の防漏溝７が設けられている。液流れ防止壁６は、一対の防漏溝７間に亘って設けられている。
【００１２】
本実施形態の生理用ナプキン１の液流れ防止壁６は、図１に示すように、長手方向後方領域１ａに位置し且つ一対の防漏溝７間に亘って設けられた第１液流れ防止壁６ａと、更に、一対の前記防漏溝７それぞれの幅方向外側にも設けられた一対の第２液流れ防止壁６ｂとからなる。
【００１３】
本実施形態の生理用ナプキン１の表面シート２は、２枚のシート２ａ，２ｂで形成されており、本実施形態の生理用ナプキン１の液流れ防止壁６は、肌当接面側の上層シート２ａで形成されている。ここで上層シートとは、表面シート２の中で最も吸収体４に近いシート（下層シートとも言う）以外のシートを示す。液流れ防止壁６は、着用者の肌を伝わって漏れる伝い漏れを防止するものであり、図１に示すように、装着時に、着用者の後側に位置し、着用者の排泄部に対抗配置される排泄部対向領域より後方の領域である長手方向後方領域１ａに設けられている。生理用ナプキン１には、図１，５に示すように、５本の液流れ防止壁６が設けられており、それぞれ、生理用ナプキン１の長手方向に略等間隔を置いて、生理用ナプキン１の幅方向に平行に配置されている。隣接する液流れ防止壁６のそれぞれの間隔Ｗ１は、１〜３０ｍｍである。液流れ防止壁６の本数は、一本のみ設けられていても良いが、好ましくは２〜６０本である。
【００１４】
本実施形態の生理用ナプキン１の液流れ防止壁６の第１液流れ防止壁６ａは、一対の防漏溝７間に亘って設けられており、平面視で直線形状である。図１，５に示す第１液流れ防止壁６ａの幅Ｗ２は、２〜５ｍｍであり、また、図３，５に示す第１液流れ防止壁６の高さｈ１は、１〜１０ｍｍである。このように、第１液流れ防止壁６の高さｈ１が、第１液流れ防止壁６ａの幅Ｗ２の５０％以上、２００％以下であるため、防漏溝７のエンボス時に潰れずにせり出し、以下に説明する入り込み部８を形成することができる。他の第１液流れ防止壁６ａの幅及び高さについても同様である。
【００１５】
本実施形態の生理用ナプキン１の液流れ防止壁６の第１液流れ防止壁６ａと防漏溝７との関係について、図１〜４を参照し、生理用ナプキン１の右側の部分を説明する。
図３に示すように、第１液流れ防止壁６ａは、肌当接面側の上層シート２ａで形成されており、図２，３に示すように、上層シート２ａには、生理用ナプキン１の幅方向における一対の防漏溝７において、非肌当接面側に窪んだ凹部２ａ’が形成されている。一対の防漏溝７と接する部分の凹部２ａ’それぞれには、防漏溝７内側まで延在し、防漏溝７に入り込んだ第１入り込み部８ａを形成している。この凹部２ａ’の深さ方向における底部表面２ａ’’は、吸収体４の平坦部表面４ａよりも、深さ方向において非肌当接面側に窪んでいる。
本実施形態の生理用ナプキン１の防漏溝７は、使用時に表面シート２及び吸収体４の皺・ヨレの発生を抑え、着用者へのフィット性及び体液の吸収性を高めるために設けるものであり、図４に示す防漏溝７の断面図は、液流れ防止壁６と接触していない部分を示している。
【００１６】
図１に示すように、本実施形態の生理用ナプキン１の防漏溝７の間隔Ｗ３は、２０〜６０ｍｍであり、図２，３に示すように、防漏溝７の溝幅Ｗ４は、１〜４ｍｍである。また、図２，３に示すように、入り込み部の溝幅Ｗ５は、防漏溝７の溝幅Ｗ４、詳述すれば、凹部２ａ’の底部の溝幅Ｗ４よりも幅狭となっている。図２，３に示すように、第１入り込み部８ａは、防漏溝７の壁面から防漏溝７の内側に向かって突出しており、その突出頂部と防漏溝７の壁面までの距離（高さ）ｈ２は、０．５〜２ｍｍである。
本実施形態の生理用ナプキン１の第１液流れ防止壁６ａの長さＬ１は、両端に第１入り込み部８ａがそれぞれ形成されているため、一対の防漏溝７の間隔Ｗ３より若干長く、２１〜６４ｍｍである。
【００１７】
本実施形態の生理用ナプキン１の液流れ防止壁６は、更に、一対の防漏溝７それぞれの幅方向外側にも設けられており、入り込み部８は、一対の防漏溝７それぞれの内側に対向して設けられている。図１に示すように、液流れ防止壁６は、一対の防漏溝７間に亘って設けられた第１液流れ防止壁６ａと、更に、一対の防漏溝７それぞれから、それらの幅方向外側にも設けられた一対の第２液流れ防止壁６ｂとからなる。図２，３に示すように、一対の防漏溝７の右側は、第１液流れ防止壁６ａの第１入り込み部８ａと第２液流れ防止壁６ｂの第２入り込み部８ｂとが対向して設けられている。本実施形態では、対向して設けられた第１入り込み部８ａと第２入り込み部８ｂとが接しないように形成されている。
【００１８】
本実施形態の生理用ナプキン１の液流れ防止壁６の第２液流れ防止壁６ｂの形状、幅及び高さは、第１液流れ防止壁６ａと同じである。また、第２入り込み部８ｂの防漏溝７の壁面までの距離（高さ）も、第１入り込み部８ａと同じである。図１に示す第２液流れ防止壁６ｂの長さＬ２は、０〜４０ｍｍである。
【００１９】
本実施形態の生理用ナプキン１の液流れ防止壁６の第１液流れ防止壁６ａと防漏溝７との関係について、生理用ナプキン１の右側の部分について上述したが、生理用ナプキン１の左側の部分についても同様に構成されている。また、図１に示す生理用ナプキン１における、上述した以外の第１液流れ防止壁６ａ及び第２液流れ防止壁６ｂについても同様である。
【００２０】
本実施形態の生理用ナプキン１の液流れ防止壁６は、繊維集合体からなり、内部が実質的に中実である。図３，６に示すように、液流れ防止壁６の内部は、中空となる部分が、出来る限り、無いように形成されており、上面側へ盛り上がる液流れ防止壁６の形状を維持している。第１液流れ防止壁６ａの内部を実質的に中実とすることにより、防漏溝７の壁面から突出しする第１入り込み部８ａの距離ｈ２を高くすることができる。第２液流れ防止壁６ｂの第２入り込み部８ｂについても同様である。
【００２１】
本実施形態の生理用ナプキン１の防漏溝７は、表面シート２と吸収体４とを固着しており（図３，４参照）、図１に示すように、長手方向の両側部に沿って延びる一対の溝である。一対の防漏溝７は、生理用ナプキン１の長手方向前方の前方領域１ｂに設けられた一対の溝と、装着時に着用者の排泄部に対抗配置される排泄部対向領域１ｃに設けられた一対の溝と、生理用ナプキン１の長手方向後方の後方領域１ａに設けられた一対の溝とからなり、本実施形態の生理用ナプキン１では、それぞれが繋がってリング状の全周防漏溝を形成している。ここで、長手方向前方領域１ｂとは、装着時に、着用者の前側に位置し、着用者の排泄部に対抗配置される排泄部対向領域より前方の領域をいう。
【００２２】
本実施形態の生理用ナプキン１の表面材１としては、各種公知の不織布を用いることができる。例えば、カード法により製造された不織布、スパンボンド不織布、メルトブローン不織布、スパンレース不織布、エアースルー不織布、ヒートロール不織布、ニードルパンチ不織布等の種々の不織布を用いることができる。
【００２３】
本実施形態の生理用ナプキン１の裏面シート３及び吸収体４としては、従来の吸収性物品等において用いられる各種材料を用いることができる。裏面シート３としては、例えば、水蒸気透過性で且つ液難透過性のフィルムシートである。また吸収体４としては、例えば、フラッフパルプと高吸収性ポリマー粒子との混合物がティッシュペーパーに包被されて構成されている。
【００２４】
本実施形態の生理用ナプキン１の防漏溝７の形成方法としては、公知のエンボス法を利用することができる。例えば、超音波エンボス、熱エンボスが利用できる。本実施形態の防漏溝７は、超音波エンボスにより形成されており、液流れ防止壁６の内部が中空である表面シートを用いた場合、熱エンボス法より入り込み部を潰さないよう形成し易い点で有利である。
【００２５】
本実施形態の生理用ナプキン１の液流れ防止壁６の好ましい形成方法としては、図５に示すように、表面シート２を、肌当接面側の上層シート２ａと非肌当接面側の下層シート２ｂとの２枚のシートから形成し、図６に示すように、肌当接面側の上層シート２ａを断面視でΩ状になるように盛り上げ、Ω状の底面部分の肌当接面側の上層シート２ａと非肌当接面側のシート２ｂとを固着することにより形成することができる。肌当接面側の上層シート２ａは、吸収体４の長手方向の両端部を越えて生理用ナプキン１の長手方向の前方領域の端部から後方領域の端部に亘って設けている。液流れ防止壁６の内部を実質的に中実にするためには、肌当接面側の上層シート２ａの目付けは、１５〜４５g／ｍ2であるエアースルー不織布を使用することが好ましい。また、非肌当接面側の下層シート２ｂは、図５に示すように、液流れ防止壁６を形成する生理用ナプキン１の長手方向後方領域１ａにのみ設けられている。非肌当接面側の下層シート２ｂの目付けは、１５〜４５g／ｍ2であるエアースルー不織布を使用することが好ましい。
【００２６】
上述のように形成した液流れ防止壁６を形成した表面シート２を用いて、従来品と同様に、生理用ナプキンを加工し、最後に、表面シート２と吸収体４とを固着するためのエンボス処理をすることにより、一対の防漏溝７を形成する。その際、液流れ防止壁６の一部が、エンボスにより潰され、第１液流れ防止壁６ａ及び一対の第２液流れ防止壁６ｂを形成し、防漏溝７の内側には、第１液流れ防止壁６ａの第１入り込み部８ａ及び第２液流れ防止壁６ｂの第２入り込み部８ｂを、一対の防漏溝７それぞれの内側に対向して形成する。
【００２７】
次に上述した本発明の一実施形態の生理用ナプキンを使用した際の作用効果について説明する。
本実施形態の生理用ナプキン１は、図１に示すように、生理用ナプキン１の長手方向後方領域１ａに、５本の液流れ防止壁６が設けられている。これらの５本の液流れ防止壁６それぞれは、肌当接面側に盛り上がっているので、着用者の肌に接しており、着用中に、着用者の肌と生理用ナプキンとの間に空間を生じず、伝い漏れを十分に防止することができる。また、肌当接面側に盛り上がった５本の液流れ防止壁６それぞれは、生理用ナプキン１の幅方向に平行に、一対の防漏溝７間に亘って延びているので、肌を伝ってきた体液を、防漏溝７に導き、横漏れを防止することができる。
特に、本実施形態の生理用ナプキン１は、長手方向後方領域１ａに５本の液流れ防止壁６が設けられているので、就寝中に寝返りをしても着用者の肌と生理用ナプキンとの間に空間を生じず、着用者の肌を伝わって生理用ナプキンの背側から漏れる伝い漏れを防止することができる。
【００２８】
さらに、防漏溝７により形成される隙間や液流れ防止壁６によって前記隙間が深くなされたとしても、防漏溝７には入り込み部８が形成されているため、液を防漏溝７の底部表面２ａ’’に導きやすくなされている。
【００２９】
また、本実施形態の生理用ナプキン１は、図１に示すように、一対の防漏溝７間に亘って設けられた第１液流れ防止壁６ａと、更に、一対の防漏溝７それぞれの幅方向外側にも設けられた一対の第２液流れ防止壁６ｂとを有しており、図２，３に示すように、一対の防漏溝７それぞれには、第１液流れ防止壁６ａの第１入り込み部８ａと第２液流れ防止壁６ｂの第２入り込み部８ｂとが防漏溝７の内側に対向して設けられており、対向して設けられた第１入り込み部８ａと第２入り込み部８ｂとが接しないように形成されている。このように、第１入り込み部８ａと第２入り込み部８ｂとが接しないように形成されているので、肌を伝ってきた体液が、入り込み部８により防漏溝７に導かれることを妨げない。
また、多量の体液が、第１液流れ防止壁６ａにより防漏溝７に導かれても、防漏溝７には、第１入り込み部８ａと第２入り込み部８ｂとが対向して設けられているので、一度、体液が防漏溝７に導かれれば、着用者の肌に付着し、再び着用者の肌を伝わり始めるという再伝い流れを防止することができる。
【００３０】
本発明の吸収性物品は、上述の実施形態の生理用ナプキンに何ら制限されるものではなく、適宜変更可能である。また、上述の実施形態の生理用ナプキンにおける各構成要件は、本発明の趣旨を損なわない範囲で、適宜組み合わせて実施できる。
【００３１】
例えば、上述の生理用ナプキン１の実施形態においては、一対の前記防漏溝７それぞれの幅方向外側にも設けられた一対の第２液流れ防止壁６ｂを有しているが、第２液流れ防止壁６ｂを設けなくても良い。
【００３２】
また、上述の生理用ナプキン１の実施形態において、５本の液流れ防止壁６のそれぞれは、同形・同大であるが、例えば、生理用ナプキン１の長手方向中央から長手方向の後方領域に行くにしたがって、液流れ防止壁６の高さを高くしてもよい。また、生理用ナプキン１の長手方向中央から長手方向の後方領域に行くにしたがって、液流れ防止壁６の幅を広くしてもよい。
【００３３】
また、上述の生理用ナプキン１の実施形態において、５本の液流れ防止壁６のそれぞれは、生理用ナプキン１の幅方向に直線状に並設されているが、図７に示すように、生理用ナプキン１の長手方向の前方領域に向かって広がるＶ字状に形成されていても良い。このように形成すると、図８に示すように、第１入り込み部８ａの頂部と第２入り込み部８ｂの頂部との距離を確保でき、第１入り込み部８ａと第２入り込み部８ｂとが確実に接しないように形成することができ、さらに防漏溝７を挟んで長手方向に互い違いの構造とできるため、伝い漏れの防止や液を防漏壁７の底部に導く機会を高めることができる。
【００３４】
前記Ｖ字状の液流れ防止壁６’においては、入り込み部８を大きくすることができることから、前述した液流れ防止壁６’の内部が中空である表面シート２であっても熱エンボス法による防漏溝７の形成をおこなうことができる。
【００３５】
また、上述の生理用ナプキン１の実施形態において、液流れ防止壁６は、表面シート２を加工して形成しているが、表面シート２とは別個独立した繊維集合体により液流れ防止壁６を形成しても良い。例えば、ポリエチレン、ポリプロピレン、ポリエチレンテレフタレート、ナイロンような合成繊維、レーヨンのような再生セルロース繊維、コットンのような天然繊維又はこれらの混合物等からできたシートを複数枚重ね圧縮成形することにより液流れ防止壁６を形成しても良い。
【００３６】
また、上述の生理用ナプキン１の実施形態において、液流れ防止壁６を形成するために使用する２枚のシートは、図５に示すように、肌当接面側の上層シート２ａを吸収体４の長手方向の両端部を越えて生理用ナプキン１の長手方向の両端部まで設け、非肌当接面側の下層シート２ｂを液流れ防止壁６を形成する生理用ナプキン１の長手方向後方領域１ａに設けているが、図９に示すように、肌当接面側の上層シート２ａを液流れ防止壁６を形成する生理用ナプキン１の長手方向後方領域１ａにのみ設け、非肌当接面側の下層シート２ｂを吸収体４の長手方向の両端部を越えて生理用ナプキン１の長手方向の前方領域の端部から後方領域の端部に亘って設けても良い。
【００３７】
また、上述の生理用ナプキン１の実施形態において、液流れ防止壁６は、２枚のシートの内の肌当接面側の上層シート２ａから形成されているが、１枚のシートから形成しても良く、図１０に示すように、３枚のシートの内、２枚の上層シート２ａ，２ａ’’’から形成しても良い。２枚の上層シート２ａ，２ａ’’’から液流れ防止壁６を形成することにより、その内部の密度を高くして中実とすることができるので、上面側へ盛り上がる液流れ防止壁６の形状を、更に維持することができる。
【００３８】
また、上述の生理用ナプキン１の実施形態において、防漏溝７は、リング状の全周防漏溝を形成しているが、長手方向の両側部に沿って延びる一対の溝であれば良い。
【００３９】
本発明は、生理用ナプキン以外にも、例えば、パンティーライナー、失禁パッド、展開型の使い捨ておむつ、パンツ型の使い捨ておむつ等の吸収性物品に好適に用いることができる。
【符号の説明】
【００４０】
１，１’    吸収性物品（生理用ナプキン）
１ａ    長手方向後方領域、１ｂ    長手方向前方領域、１ｃ    排泄部対向領域
２    表面シート
２ａ，２ａ’’’    肌当接面側の上層シート、２ｂ    非肌当接面側の下層シート
２ａ’    凹部、２ａ’’    凹部の底部表面
３    裏面シート
４    吸水体
４ａ    吸収体の平坦部表面
５    接合部
６，６’    液流れ防止壁
６ａ    第１液流れ防止壁、６ｂ    第２液流れ防止壁
７    防漏溝
８    入り込み部
８ａ    第１入り込み部、８ｂ    第２入り込み部
【図１】
2010063944.tif 000003
【図２】
2010063944.tif 000004
【図３】
2010063944.tif 000005
【図４】
2010063944.tif 000006
【図５】
2010063944.tif 000007
【図６】
2010063944.tif 000008
【図７】
2010063944.tif 000009
【図８】
2010063944.tif 000010
【図９】
2010063944.tif 000011
【図１０】
2010063944.tif 000012
【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
肌当接面側に液透過性の表面シート、非肌当接面側に裏面シート及びこれら両シート間に配された吸収体を具備する縦長の吸収性物品において、
前記表面シートの肌当接面に、肌当接面側に盛り上がる液流れ防止壁、及び該表面シートと前記吸収体とを固着する防漏溝を設け、
前記防漏溝において非肌当接面側に窪んだ凹部が形成され、該凹部には、前記液流れ防止壁が前記防漏溝内側まで延在して形成された入り込み部を有して、該入り込み部の溝幅が、該凹部の底部の溝幅よりも幅狭となっている吸収性物品。
【請求項２】
前記液流れ防止壁は、繊維集合体からなり、内部が実質的に中実である請求項１に記載の吸収性物品。
【請求項３】
前記液流れ防止壁は、肌当接面側の上層シートと非肌当接面側の下層シートとの２枚のシートから形成されている請求項１に記載の吸収性物品。
【請求項４】
前記液流れ防止壁は、前記防漏溝より内方に設けられた第１液流れ防止壁と前記防漏溝より外方に設けられた第２液流れ防止壁とを有しており、
前記防漏溝には、前記第１液流れ防止壁の第１入り込み部と前記第２液流れ防止壁の第２入り込み部とが該防漏溝の内側に対向して設けられている請求項１〜３の何れかに記載の吸収性物品。
【請求項５】
前記第１入り込み部と前記第２入り込み部とが接しないように形成されている請求項４に記載の吸収性物品。
【手続補正２】
【補正対象書類名】明細書
【補正対象項目名】０００６
【補正方法】変更
【補正の内容】
【０００６】
本発明は、肌当接面側に液透過性の表面シート、非肌当接面側に裏面シート及びこれら両シート間に配された吸収体を具備する縦長の吸収性物品において、前記表面シートの肌当接面に、肌当接面側に盛り上がる液流れ防止壁、及び該表面シートと前記吸収体とを固着する防漏溝を設け、前記防漏溝において非肌当接面側に窪んだ凹部が形成され、該凹部には、前記液流れ防止壁が前記防漏溝内側まで延在して形成された入り込み部を有して、該入り込み部の溝幅が、該凹部の底部の溝幅よりも幅狭となっている吸収性物品を提供することにより前記目的を達成したものである。
【手続補正３】
【補正対象書類名】明細書
【補正対象項目名】０００７
【補正方法】変更
【補正の内容】
【０００７】
本発明の吸収性物品によれば、着用中に、着用者の肌と生理用ナプキンとの間に空間を生じず、着用者の肌を伝わって漏れる伝い漏れを防止することができる。更に、防漏溝には入り込み部が形成されているため、液を防漏溝の底部表面に導きやすい。